(57)【要約】      （修正有）【課題】フレグランスの送達や放出が制御されたコアシェル型マイクロカプセルを提供する。【解決手段】成分（Ａ）：密度が０．９５０〜１．５００ｇ／ｃｍ３およびＣｌｏｇＰ値が１．００〜６．００である脂環式アロマケミカル化合物の少なくとも１種以上を４０〜１００質量％、成分（Ｂ）：密度が０．６３０〜０．９５０ｇ／ｃｍ３の香料成分の少なくとも１種以上を０〜８０質量％、成分（Ｃ）：密度が０．９５０〜１．５００ｇ／ｃｍ３の油溶性有機溶媒の少なくとも１種以上を０〜５０質量％、を含有し、成分（Ａ）、成分（Ｂ）および成分（Ｃ）の総和が１００重量％となるフレグランス組成物が、コア内に封入されていることを特徴とするコアシェル型マイクロカプセル。【選択図】なし【特許請求の範囲】
【請求項１】
成分（Ａ）：密度が０．９５０〜１．５００ｇ／ｃｍ３およびＣｌｏｇＰ値が１．００〜６．００である脂環式アロマケミカル化合物の少なくとも１種以上を４０〜１００質量％、
成分（Ｂ）：密度が０．６３０〜０．９５０ｇ／ｃｍ３の香料成分の少なくとも１種以上を０〜８０質量％、
成分（Ｃ）：密度が０．９５０〜１．５００ｇ／ｃｍ３の油溶性有機溶媒の少なくとも１種以上を０〜５０質量％、
を含有し、成分（Ａ）、成分（Ｂ）および成分（Ｃ）の総和が１００重量％となるフレグランス組成物が、コア内に封入されていることを特徴とするコアシェル型マイクロカプセル。
【請求項２】
成分（Ａ）：密度が１．０００〜１．５００ｇ／ｃｍ３およびＣｌｏｇＰ値が１．５０〜５．００である脂環式アロマケミカル化合物を３０〜１００質量％含有することを特徴とする請求項１に記載のコアシェル型マイクロカプセル。
【請求項３】
成分（Ａ）：ＣｌｏｇＰ値が２．００〜４．５０である脂環式アロマケミカル化合物を７５〜１００質量％含有することを特徴とする請求項１または２に記載のコアシェル型マイクロカプセル。
【請求項４】
成分（Ｂ）：密度が０．６３０〜０．９５０ｇ／ｃｍ３の香料成分の少なくとも１種以上を５〜６０質量％含有することを特徴とする請求項１〜３のいずれか一項に記載のコアシェル型マイクロカプセル。
【請求項５】
成分（Ａ）および成分（Ｂ）が共に少なくとも１０種以上の香料成分であることを特徴とする請求項１〜４のいずれか一項に記載のコアシェル型マイクロカプセル。
【請求項６】
成分（Ｃ）：密度が０．９５０〜１．５００ｇ／ｃｍ３である油溶性有機溶媒を１０〜５０質量％含有することを特徴とする請求項１〜５のいずれか一項に記載のコアシェル型マイクロカプセル。
【請求項７】
成分（Ａ）：酢酸ベンジル、ベンゾフェノン、サリチル酸ベンジル、サリチル酸シス−３−ヘキセニル、クマリン、サリチル酸シクロヘキシル、酢酸トリシクロデセニル、エチルバニリン、オイゲノール、ヘリオトロピン、インドール、イソオイゲノール、アンスラニル酸メチル、安息香酸メチル、オキサン（２−メチル−４−プロピル−１，３−オキサチアン）、２−フェニルエタノール、バニリン、バニリンイソブチレートおよびウォーターメロンケトンならびにその混合物の中から選択される脂環式アロマケミカル化合物であることを特徴とする請求項１〜６のいずれか一項に記載のコアシェル型マイクロカプセル。
【請求項８】
成分（Ｂ）：カプロン酸アリル、シトロネロール、γ−デカラクトン、ジヒドロミルセノール、酢酸シス−３−ヘキセニル、リモネン、リナロール、酢酸プレニルおよび酢酸ブチルシクロヘキシルならびにその混合物の中から選択される香料成分であることを特徴とする請求項１〜７のいずれか一項に記載のコアシェル型マイクロカプセル。
【請求項９】
成分（Ｃ）：アセチル  トリエチル  シトレート、ジエチル  マレアート、ジエチル  マロネート、ジエチル  アジペート、ジメチル  アジペート、ジエチル  スクシナート、ジエチル  タータレート、ジメチル  テレフタレート、グリセリル  トリアセテート、プロピレングリコール  ジアセテート、スクロース  オクタ−アセテート、スクロース  ジアセテート  ヘキサイソブチレート、グリセリル  トリプロピオナート、トリエチル  シトレートならびにその混合物の中から選択される油溶性有機溶媒であることを特徴とする請求項１〜８のいずれか一項に記載のコアシェル型マイクロカプセル。
【請求項１０】
フレグランス組成物の追加成分として、成分（Ｄ）：密度が０．８００〜０．９５０ｇ／ｃｍ３の油溶性有機溶媒の少なくとも１種以上を０〜５０質量％、
を含有し、成分（Ａ）、成分（Ｂ）、成分（Ｃ）および成分（Ｄ）の総和が１００重量％であり、成分（Ｃ）および成分（Ｃ）の和が０〜５０質量％であること特徴とする請求項１〜９のいずれか一項に記載のコアシェル型マイクロカプセル。
【請求項１１】
密度が０．９５０ｇ／ｃｍ３を超える密度を有するフレグランス組成物であることを特徴とする請求項１〜１０のいずれか一項に記載のコアシェル型マイクロカプセル。
【請求項１２】
請求項１〜１０のいずれか一項に記載のコアシェル型マイクロカプセルを含有し、２５℃〜４０℃の条件において、１．０１０ｇ／ｃｍ３を超える密度および１０ｍＰａｓ〜５０００ｍＰａｓの粘度を有することを特徴とする液体消費者向け製品。
【請求項１３】
２５℃〜４０℃の条件において１０ｍＰａｓ〜２５００ｍＰａｓの粘度を有していることを特徴とする請求項１２に記載の液体消費者向け製品。
【請求項１４】
少なくとも２質量％の界面活性剤を含有する家庭用組成物、洗濯用組成物、パーソナルケア組成物または化粧組成物であることを特徴とする請求項１２または１３に記載の界面活性剤含有液体消費者向け製品。
【請求項１５】
質量パーセンテージにおいて水が最大成分であることを特徴とする請求項１４岸アの界面活性剤含有液体消費者向け製品。
【発明の詳細な説明】
【技術分野】
【０００１】
本発明は、液体の家庭用製品、洗濯用製品、パーソナルケア製品および化粧用製品中にフレグランス組成物を配合する際に（場合によっては他の有効成分と一緒に）、コアシェル型マイクロカプセルのコア内に封入させることにより、フレグランスの送達や放出が制御されたことを特徴とするコアシェル型マイクロカプセルに関するものである。
本発明はさらに、低セン断条件下ではゲル状態である糊状およびセン断粘状の液体を含む液体消費者向け製品、特に家庭用洗浄剤、洗濯用製品、ならびにパーソナルケア製品、および化粧用製品におけるこれらのマイクロカプセルの使用に関する。
【背景技術】
【０００２】
香料または他の有効成分とを、保護・送達および放出に関する多様な理由のために、通例１〜１０００マイクロメートル（ミクロン）の直径を有するマイクロカプセルと呼ばれる小型カプセル内に、非水溶性香料または他の非香気成分をカプセル化することが知られている。
マイクロカプセルの調製方法としては、非特許文献１及び特許文献１〜３ならびにこれらの参考文献にも記載されている。例えば、マイクロカプセルの１種としては、ウォールまたはシェルまたはコアシェル型マイクロカプセルと呼ばれ、非水溶性および非油溶性物質、通例網目ポリマー物質の一般的には球形のシェルを備え、シェルの中に香料または他の物質が含有されている。
このようなカプセルが液体消費者向け製品、たとえばシャンプー、ヘアコンディショナー、ボディウォッシュ、シャワージェルなどのパーソナルケア製品、ファブリックコンディショナーまたは液体洗濯洗剤などの洗濯用製品あるいはキッチン表面洗浄剤などの家庭用洗浄剤に含まれるときに、特に製品が貯蔵される場合、マイクロカプセルが時間とともにクリーム化（表面へ浮上）するか、または沈降するかのどちらの問題が発生することがある。クリーム化または沈降は、マイクロカプセル、その内容物および周囲液体の間での密度の差によるものである。多くの液体家庭用洗浄剤、液体洗濯用製品ならびにパーソナルケア製品および化粧用製品は１立方センチメートル当たり約１．００ｇ（ｇ／ｃｍ３）の密度を有するが、多くの有機化合物は１．００ｇ／ｃｍ３未満の密度を有する。そのため非水溶性香料または他の疎水性油を高い割合で含有するマイクロカプセルは、マイクロカプセルが分散されている製品の液相よりも低い密度を有することがあるので、これらのマイクロカプセルは時間とともに浮上またはクリーム化する傾向がある。
【０００３】
一方、公知の物理法則から、カプセルが液体中で安定して分散を維持するための理論的最大サイズを計算することが可能である。
以下は、ストークスの法則から導いたエマルジョンのクリーム化／沈降速度の式である：
[式１]
【０００４】
2010155992.tif 000002
ν＝クリーム化／沈降の速度；
ａ＝粒子半径；
ｄ０＝連続相の密度；
ｄ＝分散相（マイクロカプセル）の密度；
ｇ＝重力定数
η＝ニュートンセン断を取る連続相の粘度。
この式は粒子が球形、均質であり、凝集していないと仮定していることに注目すべきである。サイズが混合した粒子には、より複雑であるが、本質的には同じ形式の式を誘導することができる。この式も、超小型粒子の分散を維持するであろうブラウン運動による効果をいずれも含んでいない。式は、理想的なモデルを記述して、それゆえ実際のサンプルにとっては正確ではないが、それゆえ粒子のクリーム化または沈降を支配する重要な因子を設定する。
異なる（通常はより小さい）サイズのマイクロカプセルを調製してクリーム化または沈降を低減することが可能でない、または望ましくないのは、これがたとえば内容物放出のための破砕性に依存するこのようなマイクロカプセルの壁の破壊しやすさに影響するなどの、他の結果をもたらす可能性があるためである。その上、より小型のマイクロカプセルにはより少量の物質がカプセル化され、内容物に対してより高い割合の壁物質と、同量のコア物質を含有するためにより多くのマイクロカプセルが必要となるので、結果として色などの製品属性や、重要なことには製造コストに影響を及ぼすことがある。マイクロカプセルが分散されている液体製品の粘度を上昇させることも望ましくない可能性があり、それゆえマイクロカプセルと液相の密度をより同等にバランスさせることができれば好ましい。
【０００５】
特許文献４は、コアシェル型カプセル化芳香剤に溶媒を添加することを記載しているが、芳香剤は３．３を超える、好ましくは８を超えるＣｌｏｇｐを有する必要があることを明記している。それらの示された芳香剤の大部分が１．０ｇ／ｃｍ３未満の密度を有するので、これらの物質を選択する際に密度は考慮事項ではないことは文脈から明らかであり、より高いＣｌｏｇＰ要件によって、グリセリルトリアセテートは密度上昇成分として好ましいが、グリセリルトリアセテートよりはむしろグリセリルトリブチレートなどのより大きいアルキル基が好ましいことが示唆されている。
特許文献５は、洗剤液体製品用のコアセルベート型マイクロカプセルの密度調節剤について記載しているが、マイクロカプセルの密度を低下させる物質のみ記載している。
特許文献６も、密度と周囲液体とのバランスを取るためにマイクロカプセル内容物を調節することについて記載している。しかし、密度を上昇させるために提案された物質は、ある高密度塩または高密度疎水性液体、たとえばハロゲンを含むものであり、パーソナルケア製品、洗濯用製品および家庭用製品にはあまり適していない。家庭用消費者向け製品のためのマイクロカプセル中にハロゲン化有機化合物を含めることは望ましくないのは、または多くの場合許容されないのは、このような化合物の多くが環境および／または健康に悪影響を及ぼすと考えられるためである。
【先行技術文献】
【特許文献】
【０００６】
【特許文献１】米国特許第２，８００，４５７号
【特許文献２】米国特許第３，４１５，７５８号
【特許文献３】米国特許第６，２５１，４８３号
【特許文献４】米国特許出願公開第２００５／１１２，１５２号
【特許文献５】欧州特許出願公開第７，５０２，６４６号
【特許文献６】国際公開第２０００／０５９，６１６号
【非特許文献】
【０００７】
【非特許文献１】Ｋｉｒｋ  Ｏｔｈｍｅｒ’ｓ  Ｅｎｃｙｃｌｏｐａｅｄｉａ  ｏｆ  Ｃｈｅｍｉｃａｌ  Ｔｅｃｈｎｏｌｏｇｙ  ５ｔｈ  ｅｄｉｔｉｏｎ
【発明の開示】
【発明が解決しようとする課題】
【０００８】
驚くべきことに、０．９５０ｇ／ｃｍ３を超える密度を有する有機化合物が少数であり、特にハロゲン原子を含有するすべての有機化合物が排除される場合、１．００ｇ／ｃｍ３を超える密度を有するのはなお少数である。より高い密度を有する化合物は、かなりの割合の酸素、窒素および硫黄原子をその原子式中に含むか、または芳香環などの環をその化学構造中に所有する傾向がある。しかしこのような化合物は、酸素、窒素または硫黄原子を含有する多くの官能基の極性性質により、完全に親水性であることが多い。結果として、このような親水性化合物は、乳化重合技法によって効率的にカプセル化することができない。
さらなる要件は、カプセル化された分子が貯蔵中にマイクロカプセルから漏出すべきでないことであり、小型分子および／またはさらに水溶性の分子が、特にアミンおよびアルデヒド縮合反応によって生成されたマイクロカプセルから非常に高速に漏出することが観察されている。
そしてマイクロカプセルの密度をマイクロカプセルが分散される液体製品の密度に接近するようにバランスさせることが可能ならば好都合であるが、１．０１０ｇ／ｃｍ３を超える密度を有する液体製品では、これを達成することは特に困難である。さらにマイクロカプセルコア物質の特性に対する種々の制約や、芳香剤が上質の市販製品で受け入れられるために十分な品質でなければならないという要求があるので、高密度フレグランス化合物から内容物を調合することだけで、コアシェル型マイクロカプセル用のフレグランス組成物の密度が０．９５０ｇ／ｃｍ３近くに、または０．９５０ｇ／ｃｍ３よりなお高くなるように制御可能であるかは、ただちに明らかにはならない。
【課題を解決するための手段】
【０００９】
本発明は、下記に関する。
＜１＞  成分（Ａ）：密度が０．９５０〜１．５００ｇ／ｃｍ３およびＣｌｏｇＰ値が１．００〜６．００である脂環式アロマケミカル化合物の少なくとも１種以上を４０〜１００質量％、
成分（Ｂ）：密度が０．６３０〜０．９５０ｇ／ｃｍ３の香料成分の少なくとも１種以上を０〜８０質量％、
成分（Ｃ）：密度が０．９５０〜１．５００ｇ／ｃｍ３の油溶性有機溶媒の少なくとも１種以上を０〜５０質量％、
を含有し、成分（Ａ）、成分（Ｂ）および成分（Ｃ）の総和が１００重量％となるフレグランス組成物が、コア内に封入されていることを特徴とするコアシェル型マイクロカプセル。
＜２＞  成分（Ａ）：密度が１．０００〜１．５００ｇ／ｃｍ３およびＣｌｏｇＰ値が１．５０〜５．００である脂環式アロマケミカル化合物を３０〜１００質量％含有することを特徴とする＜１＞に記載のコアシェル型マイクロカプセル。
＜３＞  成分（Ａ）：ＣｌｏｇＰ値が２．００〜４．５０である脂環式アロマケミカル化合物を７５〜１００質量％含有することを特徴とする＜１＞または＜２＞に記載のコアシェル型マイクロカプセル。
＜４＞  成分（Ｂ）：密度が０．６３０〜０．９５０ｇ／ｃｍ３の香料成分の少なくとも１種以上を５〜６０質量％含有することを特徴とする＜１＞〜＜３＞のいずれか一項に記載のコアシェル型マイクロカプセル。
＜５＞  成分（Ａ）および成分（Ｂ）が共に少なくとも１０種以上の香料成分であることを特徴とする＜１＞〜＜４＞のいずれか一項に記載のコアシェル型マイクロカプセル。
＜６＞  成分（Ｃ）：密度が０．９５０〜１．５００ｇ／ｃｍ３である油溶性有機溶媒を１０〜５０質量％含有することを特徴とする＜１＞〜＜５＞のいずれか一項に記載のコアシェル型マイクロカプセル。
＜７＞  成分（Ａ）：酢酸ベンジル、ベンゾフェノン、サリチル酸ベンジル、サリチル酸シス−３−ヘキセニル、クマリン、サリチル酸シクロヘキシル、酢酸トリシクロデセニル、エチルバニリン、オイゲノール、ヘリオトロピン、インドール、イソオイゲノール、アンスラニル酸メチル、安息香酸メチル、オキサン（２−メチル−４−プロピル−１，３−オキサチアン）、２−フェニルエタノール、バニリン、バニリンイソブチレートおよびウォーターメロンケトンならびにその混合物の中から選択される脂環式アロマケミカル化合物であることを特徴とする＜１＞〜＜６＞のいずれか一項に記載のコアシェル型マイクロカプセル。
＜８＞  成分（Ｂ）：カプロン酸アリル、シトロネロール、γ−デカラクトン、ジヒドロミルセノール、酢酸シス−３−ヘキセニル、リモネン、リナロール、酢酸プレニルおよび酢酸ブチルシクロヘキシルならびにその混合物の中から選択される香料成分であることを特徴とする＜１＞〜＜７＞のいずれか一項に記載のコアシェル型マイクロカプセル。
＜９＞  成分（Ｃ）：アセチル  トリエチル  シトレート、ジエチル  マレアート、ジエチル  マロネート、ジエチル  アジペート、ジメチル  アジペート、ジエチル  スクシナート、ジエチル  タータレート、ジメチル  テレフタレート、グリセリル  トリアセテート、プロピレングリコール  ジアセテート、スクロース  オクタ−アセテート、スクロース  ジアセテートヘキサイソブチレート、グリセリル  トリプロピオナート、トリエチル  シトレートならびにその混合物の中から選択される油溶性有機溶媒であることを特徴とする＜１＞〜＜８＞のいずれか一項に記載のコアシェル型マイクロカプセル。
＜１０＞  フレグランス組成物に追加成分として、成分（Ｄ）：密度が０．８００〜０．９５０ｇ／ｃｍ３の油溶性有機溶媒の少なくとも１種以上を０〜５０質量％、
を含有し、成分（Ａ）、成分（Ｂ）、成分（Ｃ）および成分（Ｄ）の総和が１００重量％であり、成分（Ｃ）および成分（Ｃ）の和が０〜５０質量％であること特徴とする＜１＞〜＜９＞のいずれか一項に記載のコアシェル型マイクロカプセル。
＜１１＞  密度が０．９５０ｇ／ｃｍ３を超える密度を有するフレグランス組成物であることを特徴とする＜１＞〜＜１０＞のいずれか一項に記載のコアシェル型マイクロカプセル。
＜１２＞  ＜１＞〜＜１０＞のいずれか一項に記載のコアシェル型マイクロカプセルを含有し、２５℃〜４０℃の条件において、１．０１０ｇ／ｃｍ３を超える密度および１０ｍＰａｓ〜５０００ｍＰａｓの粘度を有することを特徴とする液体消費者向け製品。
＜１３＞  ２５℃〜４０℃の条件において１０ｍＰａｓ〜２５００ｍＰａｓの粘度を有していることを特徴とする＜１２＞に記載の液体消費者向け製品。
＜１４＞  少なくとも２質量％の界面活性剤を含有する家庭用組成物、洗濯用組成物、パーソナルケア組成物または化粧組成物であることを特徴とする＜１２＞または＜１３＞に記載の界面活性剤含有液体消費者向け製品。
＜１５＞  質量パーセンテージにおいて水が最大成分であることを特徴とする＜１４＞岸アの界面活性剤含有液体消費者向け製品。
【００１０】
好ましいフレグランス組成物は、０．９５０〜１．５００ｇ／ｃｍ３の、好ましくは１．０００〜１．５００ｇ／ｃｍ３、さらに好ましくは１．０５０〜１．４００ｇ／ｃｍ３の密度と、１．５０〜５．００の、なおさらに好ましくは２．００〜４．５０のＣｌｏｇＰ値を有する脂環式アロマケミカル化合物を３０〜１００重量％含む、フレグランス組成物である。
さらに好ましいフレグランス組成物は、０．９５０〜１．５００ｇ／ｃｍ３の、好ましくは１．０００〜１．５００ｇ／ｃｍ３の、さらに好ましくは１．０５０〜１．４００ｇ／ｃｍ３の密度と、１．５０〜５．００の、なおさらに好ましくは２．００〜４．５０のＣｌｏｇＰ値を有する脂環式アロマケミカル化合物を４０〜１００重量％含む、フレグランス組成物である。
なおさらに好ましいフレグランス組成物は、０．９５０〜１．５００ｇ／ｃｍ３の、好ましくは１．０００〜１．５００ｇ／ｃｍ３の、さらに好ましくは１．０５０〜１．４００ｇ／ｃｍ３の密度と、１．５０〜５．００の、なおさらに好ましくは２．００〜４．５０のＣｌｏｇＰ値を有する脂環式アロマケミカル化合物を５０〜１００重量％含む、フレグランス組成物である。
特に好ましいフレグランス組成物は、０．９５０〜１．５００ｇ／ｃｍ３の、好ましくは１．０００〜１．５００ｇ／ｃｍ３の、さらに好ましくは１．０５０〜１．４００ｇ／ｃｍ３の密度と、１．５０〜５．００の、なおさらに好ましくは２．００〜４．５０のＣｌｏｇＰ値を有する脂環式アロマケミカル化合物を６０〜１００重量％含む、フレグランス組成物である。
さらに特に好ましいフレグランス組成物は、０．９５０〜１．５００ｇ／ｃｍ３の、好ましくは１．０００〜１．５００ｇ／ｃｍ３の、さらに好ましくは１．０５０〜１．４００ｇ／ｃｍ３の密度と、１．５０〜５．００の、なおさらに好ましくは２．００〜４．５０のＣｌｏｇＰ値を有する脂環式アロマケミカル化合物を７５〜１００重量％含む、フレグランス組成物である。
【００１１】
本発明の一態様において、主にアルデヒドとアミンまたは尿素との縮合によってコアシェルマイクロカプセルが形成されれば好ましい。主にとは、カプセル壁の５０重量％超を意味する。カプセル壁の残りは、他のポリマー、たとえばポリウレタンまたはゼラチンまたはカラギナン、あるいはビニルまたはアクリルモノマーからのフリーラジカル付加ポリマー、たとえばポリアクリルアミド、またはポリアクリレートエステルポリビニルアセテートあるいはこれらのいずれかのコポリマーを含むことができる。
本発明のカプセル用のフレグランス組成物は、２０℃にて１．０１０ｇ／ｃｍ３を超える密度を有し、２５℃〜４０℃の条件で測定したときに１０〜５，０００ｍＰａｓの、好ましくは１０〜２，５００ｍＰａｓの粘度を、好ましくは２５℃で測定したときに１０〜５，０００ｍＰａｓの、好ましくは１０〜２，５００ｍＰａｓの粘度を有する液体界面活性剤含有消費者向け製品での使用に適している。
【００１２】
本発明の一態様において、主にアルデヒドとアミンまたは尿素との縮合によってコアシェル型マイクロカプセルが形成されれば好ましい。主にとは、カプセル壁の５０重量％超を意味する。カプセル壁の残りは、他のポリマー、たとえばポリウレタンまたはゼラチンまたはカラギナン、あるいはビニルまたはアクリルモノマーからのフリーラジカル付加ポリマー、たとえばポリアクリルアミド、またはポリアクリレートエステルポリビニルアセテートあるいはこれらのいずれかのコポリマーを含むことができる。
本発明のカプセル化フレグランス組成物は、２０℃にて１．０１０ｇ／ｃｍ３を超える密度を有し、２５℃または４０℃のどちらかで測定したときに１０〜５，０００ｍＰａｓの、好ましくは１０〜２，５００ｍＰａｓの粘度を、好ましくは２５℃で測定したときに１０〜５，０００ｍＰａｓの、好ましくは１０〜２，５００ｍＰａｓの粘度を有する液体界面活性剤含有消費者向け製品での使用に適している。
【発明を実施するための形態】
【００１３】
本明細書では、引用したすべてのパーセンテージは別途指摘しない限り、質量パーセントである。フレグランス組成物を指すパーセンテージは、カプセル化されたフレグランス組成物ではなく、乳化およびカプセル化の前の組成物に基づく。本明細書で引用したすべての文献は、参照により本明細書に組み込まれる。
物質の密度はその質量と体積の商として定義され、立方センチメートル当たりのグラム数で表される（ｇ／ｃｍ３）。物質の密度を決定するには、複数の方法が利用できる。最も一般的な方法は、１９９５年７月２７日にＣｏｕｎｃｉｌによって採用されたＯＥＣＤ  Ｇｕｉｄｅｌｉｎｅ  ｆｏｒ  ｔｈｅ  Ｔｅｓｔｉｎｇ  ｏｆ  ｃｈｅｍｉｃａｌｓ  Ｎｏ  １０９である。ＡＳＴＭ  Ｄ４０５２は、振動Ｕ字管原理を使用してデジタル密度計で液体の密度を測定する手順について記載している。
本明細書で述べた液体混合物の密度は、別途指摘しない限り、ＡＳＴＭ  Ｄ４０５２の手順の後に２０℃にてＭｅｔｔｌｅｒ  Ｔｏｌｅｄｏ  ＤＲ４０デジタル密度計を使用して測定した。液体成分の密度は、同じ方法で測定するか、または値を２次データソースとしての公開文献、たとえばＳｉｇｍａ  Ａｌｄｒｉｃｈ  ｃｏｍｐａｎｙの２００８〜２００９化学カタログまたはＥｌｓｅｖｉｅｒ  Ｉｎｆｏｒｍａｔｉｏｎ  Ｓｙｓｔｅｍｓ  ＧｍｂＨによるＢｅｉｌｓｔｅｉｎデータベース（２００８／０２）から得る。融点が３５℃を超える固体物質の密度は、記載した温度にて液体として測定するか、文献から得て参照する。
密度は２つの測定値の比であるので、使用した方法や試験条件によって偏りや変動を受ける。比重瓶法と比較して、デジタル密度計による再現性は０．００１ｇ／ｃｍ３未満であり、偏りも０．００１ｇ／ｃｍ３未満である。それゆえ本明細書の目的では、密度は小数点以下第３位までのみを引用して、第４位は通常の慣例にしたがって切り上げるか、または切り下げる。周囲温度において液体サンプルの値が議論される場合には、ＡＳＴＭ  Ｄ４０５２に記載された密度決定のための指定された方法は、デジタル密度計である。
本明細書において、「高密度」という用語は、２０℃にて０．９５０ｇ／ｃｍ３を超える密度に使用する。
粘度は、別途指摘しない限り、３０ｒｐｍにて３０番のスピンドルでＢｒｏｏｋｆｉｅｌｄ  ＬＶＴ粘度計を使用して、２５℃にて測定する。
本明細書の目的では、「有機化合物」という用語は、次の：炭素、水素、酸素、硫黄および窒素の中からの原子のみを含有するが、必ずしもその全部を含有するわけではない化学化合物を意味する。高密度有機化合物は、炭素、水素、酸素、硫黄および窒素の群の中からの原子より成り、０．９５０ｇ／ｃｍ３、好ましくは１．０００ｇ／ｃｍ３を超える、なおさらに好ましくは１．０５０ｇ／ｃｍ３を超える密度を有する化合物である。
「脂環式」という用語または「脂環」という語は本明細書の分子構造の文脈において、分子内で閉環脂肪族化合物ヘキサンではなく、閉環、たとえばシクロヘキサンを形成する一連の原子を指す。芳香環は、非芳香族不飽和化合物によって起こる付加反応ではなく、求電子置換反応を受けることができる芳香環である。芳香環はまた、Ｈｕｃｋｅｌｓ則に従って（４ｎ＋２）π電子を有する平面環として定義され、アレーンおよびヘテロアレーンを含むことが可能である。環式という用語は、複素環および置換環分子も含む。本文で使用される化学命名法のさらなる定義は、“Ｇ．Ｐ．Ｍｏｓｓ，Ｐ．Ａ．Ｓ．Ｓｍｉｔｈ  ａｎｄ  Ｄ．Ｔａｖｅｒｎｉｅｒ，Ｐｕｒｅ  ａｎｄ  Ａｐｐｌｉｅｄ  ｃｈｅｍｉｓｔｒｙ，ｖｏｌ．６７  ｐｐ１３０７−１３７５  １９９５に見出すことができる。
【００１４】
＜香料成分＞
本明細書の文脈では、フレグランス組成物という用語は、「香料組成物」または「香料」と同意であり、快い匂いを与える嗅覚活性物質の混合物を指すと理解される。「芳香剤構成要素」、「フレグランス成分」および「香料構成要素」という用語とも同意である「フレグランス成分」という用語は、そのフレグランス成分自体が多くの個々の化学化合物を含み、快い匂いを有するとしても、フレグランス組成物中の成分であり得るいずれの個々の物質も意味するものと解釈される。この区別は、香料創出の分野の精通者によって理解される。
【００１５】
香料用途には、アルケン、アルコール、アルデヒド、ケトン、エステル、エーテル、ニトリル、アミン、オキシム、アセタール、ケタール、チオール、チオケトン、イミンなどの物質を含む、多種多様の臭気物質が公知である。制限されるものではないが、コア組成物のフレグランス成分は好ましくは、マイクロカプセル放出時に認められるのに十分なほど揮発性であるように、３２５原子質量単位より小さい、好ましくは３００質量単位より小さい、さらに好ましくは２７５質量単位より小さい分子量を有するであろう。さらに、より小さい質量はあまりに揮発性で芳香剤の一部としては無効である、またはあまりに水溶性であってカプセル化の間に乳化しないので、フレグランス成分は好ましくは、７５質量単位を超える、好ましくは１５０原子質量単位を超える分子量を有するであろう。フレグランス組成物の成分は、強いイオン化官能基、たとえばスルホナート、サルフェート、または第４級アンモニウムイオンも含有せず、それらはハロゲン原子も一切含有しないであろう。本発明の実際にフレグランス成分は、次の：水素、炭素、酸素、窒素および硫黄の中からの、しかし必ずしもその全部ではない原子のみを含有する化合物より構成されるであろう。
フレグランス成分および香料用溶媒は、Ｓ．Ａｒｃｔａｎｄｅｒ，Pｅｒｆｕｍｅ  Fｌａｖｏｒｓ  ａｎｄ  Ｃｈｅｍｉｃａｌｓ．Ｖｏｌｓ．Ｉ  ａｎｄ  ＩＩ，ニュージャージー州、モントクレアおよびＡｌｌｕｒｅｄ  Ｐｕｂｌｉｓｈｉｎｇ  Ｃｏｒｐ．によって出版されたＡｌｌｕｒｅｄ’ｓ  Ｆｌａｖｏｒ  ａｎｄ  Ｆｒａｇｒａｎｃｅ  Ｍａｔｅｒｉａｌｓ  ２００７  ＩＳＢＮ  ９７８−１−９３２６３３２６−９により十分に記載されている。
【００１６】
好ましくは、コアシェル型マイクロカプセルのコアに封入するのに適したフレグランス成分は、カプセル化工程の化学反応によって悪影響を受けない。
各種の化学構成要素の複合混合物を含む天然型植物油および浸出物も香料として使用されることが公知であり、このような物質は本明細書で使用可能であるが、大半の天然抽出物が化合物の混合物であることが周知であるにもかかわらず、各物質は単一の成分として見なされる。大半の関連する天然物質の主要な化学構成要素は公知であり、それゆえ大抵の天然物質は合成アロマケミカル化合物と同じ方法で評価することができる。
【００１７】
＜香料用溶媒＞
固体フレグランス成分用の液体可溶化剤またはより強力な成分の希釈剤のどちらかとして、あるいは芳香剤の蒸気圧および蒸発特徴を制御するために、香料中で溶媒を使用することは一般的である。溶媒は、フレグランス成分の特徴の多くを有することができるが、それ自体に強い匂いはない。実際に溶媒をフレグランス成分から区別することが可能であるのは、フレグランス組成物の匂い品質を著しく変化させずに、溶媒をフレグランス組成物に高い割合で、たとえば３０重量％で、または５０重量％も添加できるためである。溶媒は成分（Ｃｉｉｉ）または成分（Ｄ）に属するとして扱われることになっている。香料用溶媒の一部の例としては、アセチル  トリエチル  シトレート、ベンジルベンゾエート、ジプロピレングリコールジエチルフタレート、イソプロピルミリステート、プロピレングルコールおよびトリエチルシトレートが挙げられる。
【００１８】
＜油溶性有効成分＞
有効成分は、カプセルコアに封入されて、カプセルが破裂して内容物が放出されるときに香気以外の利点を与える非香料成分として定義される。本明細書の文脈で油溶性とは、２０℃にて４８時間後に、ジエチルフタレート１００ｇ当たり１．５ｇを超える溶解度を有する物質を意味する。代表的な有効成分としては、サンスクリーン化合物、防虫剤、フレグランス前駆体およびＭ  ＥｒｍａｎによってＣｏｓｍｅｔｉｃｓ  ａｎｄ  Ｔｏｉｌｅｔｒｉｅｓ  Ｖｏｌ．１２０  Ｎｏ５  ｐ．１０５に記載されたような加温または冷却効果を与える物質および提案された多くの機構のいずれかによって悪臭およびその知覚を抑制または低減する物質が挙げられる。カプセル化前のコアエマルジョンの特性、またはカプセル自体の特性を改善する物質も有効成分である。時として、香料成分は２次機能を有して、組成物に別の利点をもたらすことがある。たとえばサリチレートエステルはサンスクリーン剤としてはもちろんのこと、芳香分子としても作用することができる。フレグランス成分でもある有効成分は、有効成分が香料用溶媒として扱われない限り、フレグランス成分、すなわち成分ＡまたはＢのどちらかに属するとして分類されるであろう。
【００１９】
カプセル化芳香剤が放出時に著しい芳香を与えて、上質な消費者向け製品に適切な高品質芳香剤として認識されるために、カプセル化用のフレグランス組成物は、任意の所望の匂いを創出するために選択された天然および合成成分の混合物を含むことができる、好ましくは少なくとも４つのフレグランス成分、さらに好ましくは少なくとも１０個のフレグランス成分、なおさらに好ましくは少なくとも１５個のフレグランス成分を含有すべきである。さらに、ただ１つの化学化合物も７０重量％を超える全フレグランス組成物を含まないこと、さらに好ましくはただ１つの化学組成物も６０重量％を超える全フレグランス組成物を含まないこと、なおさらに好ましくはただ１つの化学化合物も５０重量％を超える全フレグランス組成物を含まないこと、が好ましい。
【００２０】
ＣｌｏｇＰは、フレグランス成分のオクタノール／水分配係数（ｐ）を指す。フレグランス成分のオクタノール／水分配係数は、オクタノール中および水中でのその平衡濃度の間の比である。フレグランス成分の分配係数はより好都合には、１０を底とするその対数、ｌｏｇＰの形で与えられる。それゆえ本発明のフレグランス成分は、約１．００〜６．００の、好ましくは１．５０〜５．００の範囲の、さらに好ましくは２．００〜４．５０の範囲のｌｏｇＰを有する。多くのフレグランス成分のＬｏｇＰ値が報告されている。たとえば、カリフォルニア州アーバインのＤａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ）より入手できるＰｏｍｏｎａ９２データベースには、原文献への引用と共に多くが記載されている。しかし、本明細書で報告するＣｌｏｇＰ値は、ＣａｍｂｒｉｄｇｅＳｏｆｔ  Ｃｏｒｐｏｒａｔｉｏｎ，１００  ＣａｍｂｒｉｄｇｅＰａｒｋ  Ｄｒｉｖｅ，Ｃａｍｂｒｉｄｇｅ，ＭＡ  ０２１４０  米国またはＣａｍｂｒｉｄｇｅＳｏｆｔ  Ｃｏｒｐｏｒａｔｉｏｎ，８  Ｓｉｇｎｅｔ  Ｃｏｕｒｔ，Ｓｗａｎｎｓ  ｌｏａｄ，Ｃａｍｂｒｉｄｇｅ  ＣＢ５  ８ＬＡ  英国より入手できるＣｈｅｍｏｆｆｉｃｅ  Ｕｌｔｒａ  Ｓｏｆｔｗａｒｅ  ｖｅｒｓｉｏｎ  ９内で利用できる“ＣＬＯＧＰ”プログラムによってより好都合に計算される。ＣｌｏｇＰ値は好ましくは、本発明で有用であるフレグランス成分の選択の際に実験ｌｏｇＰ値の代わりに使用される。天然油または抽出物では、このような油の組成物は、分析によって、またはＢＡＣＩＳ（Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ，Ｇｒｏｅｎ  ｖａｎ  Ｐｒｉｎｓｔｅｒｌａａｎ  ２１，１２７２  ＧＢ  Ｈｕｉｚｅｎ，オランダ）によって出版されたＥＳＯ２０００データベースで公開された組成物を使用して決定することができる。
【００２１】
フレグランス組成物は、カプセル化工程の一部としてエマルジョンを形成するほど十分に非水溶性であることが好ましい。水溶性はＣｌｏｇＰとほぼ逆の相関があるので、５０重量％を超える、好ましくは７０重量％を超えるフレグランス組成物が１．００〜６．００のＣｌｏｇＰ値を有する脂環式アロマケミカル化合物を含むことが好ましく、５０重量％超、さらに好ましくは７０重量％超が１．５０〜５．００のＣｌｏｇＰ値を有することがさらに好ましく、５０重量％超、好ましくは７０重量％超が２．００〜４．５０のＣｌｏｇＰ値を有することがなおさらに好ましい。
【００２２】
＜高密度脂環式アロマケミカル化合物：成分（Ａ）＞
本発明の重要な特徴は、２０〜１００％のカプセル化用フレグランス組成物は、０．９５０〜１．５００ｇ／ｃｍ３の密度を有する、少なくとも１つの脂環式アロマケミカル化合物を含有することである。好ましくは、フレグランス組成物は、２０〜１００％の、０．９５０〜１．５００ｇ／ｃｍ３の密度を有する、少なくとも３つの、さらに好ましくは少なくとも６つの、特に好ましくは少なくとも１０個の高密度環式芳香剤または香料成分で構成される。適切な高密度脂環式アロマケミカル化合物は、脂環式、複素環式、芳香族または大環状であり得る化学構造中に少なくとも１個の環を含有するフレグランス成分として定義され、０．９５０〜１．５００ｇ／ｃｍ３の、好ましくは１．０００〜１．５００ｇ／ｃｍ３の、さらに好ましくは１．０５０〜１．４００ｇ／ｃｍ３の密度を有し、１．００〜６．００の、好ましくは１．５０〜５．００の、さらに好ましくは２．００〜５．００の、なおさらに好ましくは２．００〜４．５０のＣｌｏｇＰ値を有する。好ましくは、本発明の目的のために有用である高密度フレグランス成分は、１５０質量単位を超えて３００質量単位を下回る分子量を有する。下の表１に、本発明の目的に適切であるいくつかの一般的な高密度脂環式アロマケミカル化合物の例を挙げる。このリストは、香料成分を例示することを意図しており、包括的でもなく、本発明を決して制限するものでもない。
【００２３】
表１−１：成分（Ａ）の脂環式アロマケミカル化合物の例
【００２４】
【表１】
2010155992.tif 000003
【００２５】
表１−２：成分（Ａ）の脂環式アロマケミカル化合物の例
【００２６】
【表２】
2010155992.tif 000004
【００２７】
ａ）サリチル酸シクロヘキシルは花王のＭＳＤＳによる報告
ｂ）ＪＣＳ  Ｐｅｒｋｉｎ  Ｔｒａｎｓ２  ｐ１９９−２００（２００２）で報告された６０℃にて測定
ｃ）Ｂｅｉｌｓｔｅｉｎ
ｄ）Ｓｉｇｍａ−Ａｌｄｒｉｃｈカタログ２００８−２００９およびその参考文献
シクラセットは、Ｉｎｔｅｒｎａｔｉｏｎａｌ  Ｆｌａｖｏｒｓ  ａｎｄ  Ｆｒａｇｒａｍｃｅｓの商標である。
【００２８】
カプセルコア中に封入するための脂環式アロマケミカル化合物の特に好ましい群としては：酢酸ベンジル、ベンゾフェノン、サリチル酸ベンジル、シス−３−ヘキシルサリチレート、クマリン、サリチル酸シクロヘキシル、酢酸トリシクロデセニル、エチルバニリン、オイゲノール、ヘリオトロピン、インドール、イソオイゲノール、アンスラニル酸メチル、安息香酸メチル、オキサン（２−メチル−４−プロピル−１，３−オキサチアン）、２−フェニルエタノール、バニリン、バニリンイソブチレート、ウォーターメロンケトンが挙げられる。
高密度脂環式アロマケミカル化合物は２０〜１００重量％のフレグランス組成物を含む必要があり、好ましくは、それらは３〜１００重量％のフレグランス組成物を含むべきであり、さらに好ましくは、それらは４０〜１００重量％のフレグランス組成物を含むべきであり、なおさらに好ましくは、それらは５０〜１００重量％のフレグランス組成物を含むべきであり、特に好ましくは、それらは６０〜１００重量％のフレグランス組成物を含むべきであり、さらに好ましくは、それらは７５〜１００重量％のフレグランス組成物を含むべきである。
０．９５０ｇ／ｃｍ３を超える密度を有し、Ｃｌｏｇｐ値が１．００〜６．００の脂環式アロマケミカル化合物を５０重量％超で含有するエッセンシャルオイルも、脂環式アロマケミカル化合物の部分だけでなく、その全体が脂環式アロマケミカル化合物であると見なされる。
【００２９】
＜従来の香料成分：成分（Ｂ）＞
成分Ｂ香料成分は、それらがその分子構造中に環式単位を有していても、有していなくてもよいが、その密度が２０℃または密度が適正に測定できるようなより高い温度にて０．９５０ｇ／ｃｍ３より低いことを特徴とする。それらも１．００〜６．００のＣｌｏｇＰ値および７５〜３２５ａｍｕの分子量を有するという点で、香料成分の上の定義に従う。下の表２に、分子構造の一部として環状単位を有する、または有さないことがあり、０．６３０〜０．９５０ｇ／ｃｍ３の密度および１．００〜６．００のＣｌｏｇＰ値を有する、いくつかの一般的な香料成分の例を挙げる。このリストは、成分Ｂの香料成分を例示することを意図しており、包括的でもなく、本発明を決して制限するものでもない。
【００３０】
表２：成分（Ｂ）の香料成分の例
【００３１】
【表３】
2010155992.tif 000005
【００３２】
好ましくは、成分Ａおよび成分Ｂの香料成分は共に、少なくとも１０個の香料成分を含む。
【００３３】
＜高密度有機油溶性成分：成分（Ｃ）＞
本発明の場合による、しかししばしば好ましい特徴は、マイクロカプセルコアへ０〜５０％の、好ましくは１０〜５０％の、さらに好ましくは２０〜５０％の１つ以上の高密度有機化合物が含まれることである。「有機」および「高密度」は、明細書で先に定義したように同じ意味を有する。一部の高密度有機成分は、その分子式内に環状構造を有することができるが、有する必要はない。一般に、高密度有機成分はフレグランス成分として通常使用されないが、それらは匂いを有することがあり、フレグランス組成物で使用することができる。高密度有機成分は芳香剤で溶媒または希釈剤として使用することも可能であり、あるいは食品製品で成分として使用することも可能である。高密度有機油溶性化合物は、さらに次のように定義される：
【００３４】
ｉ）高密度油溶性有機ポリエステル化合物：成分（Ｃｉ）
本明細書の文脈において油溶性とは、２０℃にて４８時間後に、ジエチルフタレート１００ｇ当たり１．５ｇ超の溶解性を有する物質を意味する。「ポリアシル」は、少なくとも２個のエステル基を所有する化合物を意味する。さらに高密度油溶性ポリエステル化合物は、１００〜１５００ａｍｕの、好ましくは１２５〜１０００ａｍｕの、さらに好ましくは１５０〜７５０ａｍｕの分子量を有し、１分子当たり少なくとも２個のエステル基を含有し、０．９５０〜１．５００ｇ／ｃｍ３の、好ましくは１．０００〜１．５００ｇ／ｃｍ３、なおさらに好ましくは１．０５０〜１．５００ｇ／ｃｍ３の、特に好ましくは１．１００〜１．５００ｇ／ｃｍ３の、特に好ましくは１．１５０〜１．４００ｇ／ｃｍ３の密度を有する必要があるか、または次の式を有する化合物である：
【００３５】
【化１】
2010155992.tif 000006
【００３６】
（式中：Ｒ３およびＲ４は、同一又は異なって、直鎖または分枝の炭素数１〜６のアルキル基を表し、Ｙは、１個または複数の水酸基またはフェニル基によって場合により置換された炭素数１〜６のアルケニレン基またはアルキニレン基であり、ｍおよびｐは、同一又は異なって、１〜４の整数である。）
【００３７】
【化２】
2010155992.tif 000007
【００３８】
（式中：Ｒ１は、水素原子あるいは直鎖または分枝の炭素数１〜６アルキルカルボニル基であり、Ｒ３およびＲ４は、同一又は異なって、直鎖または分枝の炭素数１〜６のアルキル基を表し、ｎは、１〜３の整数である。）
上の式において、Ｒ３およびＲ４は、好ましくは炭素数１〜３のアルキル基であり、Ｒ１は、好ましくは炭素数１〜３のアルキルカルボニルであり、Ｙは、好ましくは炭素数１〜３のアルケニレン基またはアルキニレン基である。
【００３９】
【化３】
2010155992.tif 000008
【００４０】
（式中：Ｘは、水素原子、炭素数１〜３のアルキル基、−ＣＨ（Ｒ６）ＣＯＯＲ７であり、Ｗは、水素原子、炭素数１〜３のアルキル基、−ＣＨ（Ｒ６）ＣＯＯＲ７、−（ＣＨ２）ｎＣＨ（Ｒ６）ＣＯＯＲ７であり、Ｒ５は、直鎖または分枝の炭素数１〜３のアルキル基であり、Ｒ６およびＲ７は、同一又は異なって、水素原子あるいは直鎖または分枝の炭素数１〜３のアルキル基であり、ｎは１〜４の整数である。但し、少なくともＸまたはＷがエステル基である。）
【００４１】
【化４】
2010155992.tif 000009
【００４２】
（式中：Ｒ１およびＲ２は、同一又は異なって、Ｒが直鎖または分枝の炭素数１〜６のアルキル基である−ＣＯ−Ｒ基である。）
表３は、いくつかの高密度油溶性有機成分を挙げており、高密度有機油溶性ポリエステル物質の範囲を例示するが、包括的でなく、決して本発明を限定するものではない。
【００４３】
表３：高密度有機油溶性ポリエステル成分の例：成分（Ｃｉ）
【００４４】
【表４】
2010155992.tif 000010
【００４５】
＊Ｓｉｇｍａ  Ａｌｄｒｉｃｈカタログ２００８−２００９で報告
＊＊Ｄｏｗａｎｏｌ  ＰＧＤＡについて、Ｄｏｗ  Ｃｈｅｍｉｃａｌｓ  ｔｅｃｈｎｉｃａｌ  ｄａｔａｓｈｅｅｔにて２５℃にて報告
【００４６】
しかし高密度有機油溶性ポリエステル有機物質は、パーソナルケア製品や化粧用製品で使用するために安全でなければならず、それら環境へ放出するのにも安全でなければならない。この理由で、ハロゲン含有有機物質は、マイクロカプセルへの取り込みに適切とは見なされない。好ましい高密度油溶性ポリエステル化合物としては、スクロース  オクタアセテート、グリセリル  トリアセテート、グリセリル  トリプロピオナート、ジエチル  タータレート、トリエチル  シトレートおよびアセチル  トリエチル  シトレートが挙げられる。
【００４７】
ｉｉ）高密度有機ポリマー：成分（Ｃｉｉ）
モノマー分子量に基づいて、またはコポリマーの場合には、重合反応前のモノマーのいずれかの混合物の重量平均分子量に基づいて計算された、少なくとも１９重量％の、好ましくは２５重量％を超える酸素、窒素および硫黄原子の１つまたは混合物のどちらかを含有して、１．０００〜１．５００ｇ／ｃｍ３の、好ましくは１．０５０〜１．５００ｇ／ｃｍ３の、なおさらに好ましくは１．１００〜１．５００ｇ／ｃｍ３の、特に好ましくは１．１５０〜１．４００の密度を有する、分子量が２，０００〜２５０，０００ａｍｕ、好ましくは５，０００〜１００，０００ａｍｕの有機ポリマーは、カプセル化用フレグランス組成物に包含させるために、フレグランス組成物中に０〜５０重量％、好ましくは１０〜５０重量％、さらに好ましくは２０〜５０重量％包含されることが可能である。
ポリマー（群Ｃｉｉ）である高密度有機成分の場合、ポリマーが産生されるモノマーは好ましくは、少なくとも１９重量％の酸素、窒素または硫黄化合物原子のいずれかの組み合せを、好ましくは２５％超のこれらの原子のいずれかの組み合せを、さらに好ましくは３０％超の酸素、窒素または硫黄原子のいずれかの組み合せを含有する必要がある。ポリマーは好ましくは、２０００〜２５０，０００ａｍｕの、好ましくは５０００〜２００，０００ａｍｕの、さらに好ましくは１０，０００〜１００，０００ａｍｕの分子量範囲を有する必要がある。さらにモノマーは、炭素、水素、酸素、窒素および硫黄原子の中からの原子を、必ずしもすべてではないが含む。モノマーは、スルホン酸塩または硫酸塩あるいは第４級アンモニウム塩などの強いイオン化基をいずれも含有すべきではない。ポリマーは、ポリビニルアセテートまたはポリアクリルアミドまたはポリアクリレートなどのポリマーを産生するための、ビニルまたはアクリルモノマー、たとえばビニルアセテートなどの不飽和モノマーのラジカル重合などのいずれの標準手段によっても調製できる。あるいは、ポリマーは、ポリプロピレングリコールまたはポリテレフタレートエステルまたはポリアミドなどの、ポリエーテルまたはポリエステルを導く反応などの縮合反応によって産生することができる。
【００４８】
２つ以上のモノマー種を含有するポリマーも、ポリマーが好ましくは、モノマーの質量パーセントについて平均された少なくとも１９％の酸素、窒素、または硫黄原子のいずれかの組み合せを、好ましくは２５％超の酸素、窒素および硫黄原子のいずれかの組み合せを、好ましくは３０％超の酸素、窒素および硫黄原子のいずれかの組み合せを含有するという条件で、本発明の一部と見なされる。
表４は、いくつかの高密度有機ポリマーを挙げ、物質の範囲を例示することを意図しているが、包括的でもなく、本発明を決して制限するものでもない。ポリマーの密度はサンプルの履歴に応じて変化するかもしれないので、データの一部が範囲内に引用される。データは、２００５年にＪ  Ｗｉｌｅｙ  ａｎｄ  Ｓｏｎｓによって出版されたＪ  ＢｒａｎｄｕｐらによるＰｏｌｙｍｅｒ  Ｈａｎｄｂｏｏｋ  ４ｔｈ  Ｅｄｉｔｉｏｎから得られる（ＩＳＢＮ  ９７８−０−４７１−１６６２８−３）。
【００４９】
表４：成分（Ｃｉｉ）の高密度有機ポリマー物質の例
【００５０】
【表５】
2010155992.tif 000011
【００５１】
ｉｉｉ）香料用溶媒：成分（Ｃｉｉｉ）
固体フレグランス成分用の液体可溶化剤またはより強力な成分の希釈剤のどちらかとして、あるいは芳香剤の蒸気圧および蒸発特徴を制御するために、香料中で溶媒を使用することは一般的である。本明細書の目的のために、香料用溶媒は、香調を実質的に変化させることなく芳香剤に２５℃にて５０重量％添加することが可能である液体として定義される。表５は、いくつかの香料用溶媒を挙げ、溶媒の範囲を例示することを意図しているが、包括的でもなく、本発明を決して制限するものでもない。
【００５２】
表５：成分（Ｃｉｉｉ）の香料用溶媒
【００５３】
【表６】
2010155992.tif 000012
【００５４】
＊Ｓｉｇｍａ  Ａｌｄｒｉｃｈカタログ２００８−２００９で報告
＊＊２５℃でのＤｏｗ  Ｃｈｅｍｉｃａｌｓ  ｔｅｃｈｎｉｃａｌ  ｄａｔａｓｈｅｅｔからの密度
＊＊＊イソパールＬは、密度が１５℃にて測定されたとして報告されている、Ｅｘｘｏｎ  Ｍｏｂｉｌ  Ｃｈｅｍｉｃａｌｓの登録商標である。
【００５５】
高密度有機成分は、いずれの割合の成分Ｃｉ）、Ｃｉｉ）およびＣｉｉｉ）からの物質の混合物も含むことができる。
【００５６】
他の溶媒：成分（Ｄ）
本発明のカプセル用のフレグランス組成物には、成分（Ｃｉｉｉ）に含まれない１種以上の油溶性有機溶媒を任意成分として用いることができる。
表５−ａにおいて、通常、密度が０．８００〜０．９５０ｇ／ｃｍ３であるこれら油溶性有機溶媒を例示するが、包括的でなく、決して本発明を限定するものではない。
【００５７】
表５：成分（Ｄ）の油溶性有機溶媒
【００５８】
【表７】
2010155992.tif 000013
【００５９】
＊Ｓｉｇｍａ  Ａｌｄｒｉｃｈカタログ２００８−２００９で報告
＊＊２５℃でのＤｏｗ  Ｃｈｅｍｉｃａｌｓ  ｔｅｃｈｎｉｃａｌ  ｄａｔａｓｈｅｅｔからの密度
＊＊＊イソパールＬは、密度が１５℃にて測定されたとして報告されている、Ｅｘｘｏｎ  Ｍｏｂｉｌ  Ｃｈｅｍｉｃａｌｓの登録商標である。
【００６０】
本発明において、成分（Ｄ）の油溶性有機溶媒を、０〜５０質量％の、好ましくは５〜５０質量％、さらに好ましくは１０〜５０質量％、なおさらに好ましくは２０〜５０質量％、カプセル用のフレグランス組成物中に含むものである。いうまでもなく、成分（Ａ）、成分（Ｂ）、成分（Ｃ）および成分（Ｄ）の総和が１００重量％である。ただし、成分（Ｃ）および成分（Ｃ）の和が０〜５０質量％の範囲である。。
カプセル化のためのフレグランス組成物は、少なくとも２０％の成分（Ａ）の物質からの少なくとも１つの成分と、場合により、上で定義したような成分（Ｂ）の香料成分と、香料用溶媒（成分（Ｃｉｉｉ）または成分（Ｄ））と、有効成分と、成分Ｃの高密度有機油溶性剤とを含む必要がある。
【００６１】
＜マイクロカプセル＞
本発明のフレグランス組成物は、カプセル化芳香剤製品または芳香剤含有コアシェル型マイクロカプセルを作製するのに特に適切である。「マイクロカプセル」という用語は、本明細書では最も広い意味で使用され、通例は１〜５００マイクロメートルの、好ましくは２〜２００マイクロメートルの、さらに好ましくは５〜１００マイクロメートルの、特に好ましくは１０〜５０マイクロメートルの平均粒径を有する小型カプセル（すなわちマイクロカプセル）内への香料および他の物質または活性剤のカプセル化を含む。平均粒径は複数の異なる方法で決定することができるが、好ましい技法はＭａｌｖｅｒｎ  Ｍａｓｔｅｒｉｚｅｒを使用する光散乱により、平均粒径は中央粒径Ｄ（０．５）値と見なされる。
コアシェル型マイクロカプセルは通例、非水溶性の、または少なくとも部分的に非水溶性の物質の、通例はポリマー材料の球状中空シェルを含み、シェルの中に香料と他の物質が含有されている。マイクロカプセルは次の特許出願または特許、すなわち米国特許出願公開第２００３／２１５，４１７（Ａ１）号；米国特許出願公開第２００３／２１６，４８８（Ａ１）号；米国特許出願公開第２００３／１６５，６９２（Ａ１）号；米国特許出願公開第２００４／０７１，７４２（Ａ１）号；米国特許出願公開第２００４／０７１，７４６（Ａ１）号；米国特許出願公開第２００４／０７２，７１９（Ａ１）号；米国特許出願公開第２００４／０７２，７２０（Ａ１）号；欧州特許第１，３９３，７０６（Ａ１）号；米国特許出願公開第２００３／２０３，８２９（Ａ１）号；米国特許出願公開第２００３／１９５，１３３（Ａ１）号；米国特許出願公開第２００４／０８７，４７７（Ａ１）号；米国特許出願公開第２００４／０，１０６，５３６（Ａ１）号；米国特許第６，２００，９４９号；米国特許第４，８８２，２２０号；米国特許第４，９１７，９２０号；米国特許第４，５１４，４６１号；米国特許第ＲＥ  ３２，７１３号；米国特許第４，２３４，６２７号に記載されている。
【００６２】
マイクロカプセルは、コアシェル型マイクロカプセルを作製するための当業者に公知の一連の従来方法、たとえばコアセルベーション、界面重合、および重縮合を使用して調製できる。たとえば米国特許第３，５１６，９４１号、米国特許第４，５２０，１４２号、米国特許第４，５２８，２２６号、米国特許第４，６８１，８０６号、米国特許第４，１４５，１８４号；英国特許第２，０７３，１３２号；国際公開第９９／１７８７１号；およびＭＩＣＲＯＥＮＣＡＰＳＵＬＡＴＩＯＮ：Ｍｅｔｈｏｄｓ  ａｎｄ  Ｉｎｄｕｓｔｒｉａｌ  Ａｐｐｌｉｃａｔｉｏｎｓ  Ｅｄｉｔｅｄ  ｂｙ  Ｂｅｎｉｔａ  ａｎｄ  Ｓｉｍｏｎ（Ｍａｒｃｅｌ  Ｄｅｋｋｅｒ，Ｉｎｃ．１９９６）を参照。しかし、なお本質的にコアシェル型マイクロカプセルを製造する間に、物質や工程ステップに関して多くの変形例が可能であることが認識される。マイクロカプセルのシェルを作製するのに適切な物質の非制限的な例としては、尿素−ホルムアルデヒド、メラミン−ホルムアルデヒド、フェノール−ホルムアルデヒド、ポリメタクリレートエステル、ポリビニル化合物、ゼラチン、カラギナン、ポリウレタン、ポリアミド、または上のいずれかの組み合せが挙げられる。
【００６３】
本発明の好ましい一実施形態において、マイクロカプセルのシェルは、アミノプラスト樹脂を主に含む。このようなシェルマイクロカプセルを形成する方法としては、重縮合反応が挙げられる。アミノプラスト樹脂は、１つ以上のアミンと、１つ以上のアルデヒド、通例はホルムアルデヒドとの反応生成物である。適切なアミンの非制限的な例としては、尿素、チオ尿素、メラミンおよびその誘導体、ベンゾグアナミンおよびアセトグアナミンならびにアミンの組み合せが挙げられる。適切な架橋剤（たとえばトルエンジイソシアナート、ジビニルベンゼン、ブタンジオールジアクリレートなど）も使用可能であり、必要に応じて２次壁ポリマー、たとえば無水物およびその誘導体、特に米国特許出願公開第２００４／０，０８７，４７７（Ａ１）号に開示されているようなマレイン酸無水物のポリマーおよびコポリマーも使用可能である。本発明の好ましい実施形態において、マイクロカプセルのシェルは、尿素−ホルムアルデヒド；メラミン−ホルムアルデヒド；またはその組み合せを含み、得られたマイクロカプセルは、アミノプラスト・コアシェル型マイクロカプセルとしてよく知られている。
【００６４】
カプセル製造の当業者は、成分比率および／または工程パラメータの変更などの、コアシェル型マイクロカプセルの製造に導入できるが、本明細書および引用参考文献に記載されたコアシェル調製の一般的な説明になお含まれる、多くの変形例があることを認識する。しかし注目できる１つの変形例は、アルカリ金属またはアンモニアおよびアミン誘導体の塩をカプセル化反応前の水相に溶解させて、あまり疎水性でない成分がコア組成物中に存在するときに安定なエマルジョン相の形成を補助することである。これらの塩は、塩酸、硫酸、リン酸または硝酸などの無機酸の塩であってもよい。
決して特許を制限したくないが、カプセル分散を調製する代表的な工程は、次のステップを含む。
【００６５】
フレグランス成分およびいずれかの有効成分または乳化剤または乳化安定剤を含み得る改質剤のエマルジョンの調製は、激しい撹拌の下で行われる。
第１のステップは、上のエマルジョンを、メラミン−ホルムアルデヒド樹脂（適切なモル比１：３：２〜１：６：４の、メラミン：ホルムアルデヒド：メタノール混合物）および乳化剤と混合することである。これらのモノマーはあらかじめ縮合できるか、モノマーは直接使用することができる。メラミンの一部は尿素によって置換することができる。これらのポリマーでは、ホルムアルデヒドは、好ましくはメチルエーテルとして部分的にエーテル化することができる。
好ましくは、シェルは、５０〜１００％のホルムアルデヒド−メラミンまたはホルムアルデヒド−メラミン−尿素またはホルムアルデヒド−尿素縮合ポリマーあるいは部分的に対応するエーテル化ホルムアルデヒド縮合ポリマーより、好ましくはメチルエーテルとして構成される。シェルは、５０〜１００％のメタクリレートまたはウレタンより構成することもできる。
【００６６】
次に酸を上の混合物に添加して、ｐＨ３．５〜６．５に調整し、温度を３０〜４５℃に上昇させる。分散物が油を含まなくなるまで、撹拌を進行させる。たとえばギ酸または酢酸などの、有害な特性を有さないいずれの酸も本工程で使用できる。
中程度の撹拌下で温度を６０〜１００℃まで数時間加熱することによってカプセルが硬化されれば、特に好都合である。
硬化の早期の間に、尿素、メラミンまたは他のアミン、あるいはその混合物のさらなる添加が行われて、最終分散中のホルムアルデヒド濃度を低下させて、壁厚を増大させられれば、特に好都合である。
通例、１０〜３０％の追加のメラミンおよび／または尿素をこの段階で添加することができ、特に好都合な比は５：１〜１：１  メラミン：尿素である。
硬化が完了したら、温度を約５０℃に低下させて、分散を中和してから、ｐＨ約９．５まで調整する。
【００６７】
一実施形態において、本発明のマイクロカプセルは本来、脆性である。脆性は、マイクロカプセルが直接の外圧またはセン断力を受けたときに破裂または壊裂する傾向を指す。本発明の目的では、マイクロカプセルによって処理された織布に付着している間に、マイクロカプセル含有織布が着用されるまたは取り扱われることによって操作されるときに遭遇する力によって、マイクロカプセルを破裂させることができる（それによってマイクロカプセルの内容物が放出される）場合に、利用されたマイクロカプセルは「脆性」である。一実施形態において、コアシェル型マイクロカプセルは通例、１〜５００マイクロメートルの、好ましくは５〜２００マイクロメートルの、さらに好ましくは５〜１００マイクロメートルの、特に好ましくは１０〜５０マイクロメートルの範囲の平均外径を有する。粒径分布は狭くても、広くても、多峰性でもよい。
本発明のマイクロカプセルは、コアシェル型マイクロカプセルとは見なされない米国特許第５，２４６，６０３号に記載されているマイクロカプセルなどの水分との接触時に破裂するデンプンからなるマイクロカプセルなどの、水分活性化マイクロカプセルとは区別される。
【００６８】
液体の家庭用製品、洗濯用製品、パーソナルケア製品および化粧用製品
本発明のフレグランス組成物を含有するマイクロカプセルを使用できる液体の家庭用製品、洗濯製品、パーソナルケア製品および化粧用製品の調合物および成分は、当業者に公知であり、参照により本明細書に組み入れられている次の研究：
ＡＯＣＳ  ｐｒｅｓｓが出版したＦｏｒｍｕｌａｔｉｎｇ  Ｄｅｔｅｒｇｅｎｔｓ  ａｎｄ  Ｐｅｒｓｏｎａｌ  Ｃａｒｅ  Ｐｒｏｄｕｃｔｓ  Ａ  ｇｕｉｄｅ  ｔｏ  Ｐｒｏｄｕｃｔ  Ｄｅｖｅｌｏｐｍｅｎｔ  ｂｙ  Ｌ．Ｈｏ  Ｔａｎ  Ｔａｉ，ＩＳＢＮ  １−８９３９９７−１０−３。またＳｕｒｆａｃｔａｎｔ  Ｓｃｉｅｎｃｅ  Ｓｅｒｉｅｓ  Ｌｉｑｕｉｄ  ＤｅｔｅｒｇｅｎｔｓのＶｏｌｕｍｅ  ６７  ＩＳＢＮ  ０−８２４７−９３９１−９（Ｍａｒｃｅｌ  Ｄｅｋｋｅｒ  Ｉｎｃ）はもちろんのこと、次の特許または特許出願も参照することができる。
【００６９】
＜液体洗濯用洗剤＞
米国特許第５，９２９，０２２号、米国特許第５，９１６，８６２号、米国特許第５，７３１，２７８号、米国特許第５，４７０，５０７号、米国特許第５，４６６，８０２号、米国特許第５，４６０，７５２号、および米国特許第５，４５８，８１０号。
＜シャンプーおよびヘアコンディショナー＞
米国特許第６，１６２，４２３号、米国特許第５，９６８，２８６号、米国特許第５，９３５，５６１号、米国特許第５，９３２，２０３号、米国特許第５，８３７，６６１号、米国特許第５，７７６，４４３号、米国特許第５，７５６，４３６号、米国特許第５，６６１，１１８号、米国特許第５，６１８，５２３号。
液体の家庭用製品、洗濯製品、パーソナルケア製品および化粧用製品は、通例０．８００〜１．６００ｇ／ｃｍ３の、さらに好ましくは、溶解されたか、または調合物に懸濁されたかのどちらかの、界面活性剤、乳化油、溶媒および無機物質を含有する液体組成物では、０．９００〜１．４００ｇ／ｃｍ３の密度範囲を有することができる。主に水性組成物である製品は、１．０００ｇ／ｃｍ３に近い密度を有する傾向にあるだろう。主に水性の液体製品という用語は、重量パーセンテージで水が最大成分である製品を意味する。
一部の非水性または低水性液体製品調合物は、アルコールおよびグリコールなどの極性溶媒をかなりの割合で含有し、結果としてその密度は、図６に示すように１，０００ｇ／ｃｍ３を超えるかもしれない。
ファブリックコンディショナーと呼ばれることがある大半の水性液体衣類柔軟剤は、主に水およびカチオン性界面活性剤を含有し、その密度は１．０００ｇ／ｃｍ３であり、特に濃縮調合物はより高濃度のカチオン性界面活性剤を含有する。それゆえ、５０％を超える水および４〜３０％の柔軟カチオン性界面活性剤を含有する、家庭での衣類洗濯のすすぎステップで使用される製品として定義される水性液体衣類柔軟剤は、本発明から除外される。下の表６は、ある市販ブランドの液体の家庭用製品、洗濯用製品、パーソナルケア製品および化粧用製品の密度の具体例いくつかを含む。この場合もリストは例証的であり、包括的でも、本発明を制限するものでもないものとする。
【００７０】
表６：市販の液体の家庭用製品、洗濯用製品、パーソナルケア製品および化粧用製品の密度
【００７１】
【表８】
2010155992.tif 000014
【００７２】
上述したように、５ミクロンを超える平均粒径を有し、液体製品に包含されたマイクロカプセルは、特に長期貯蔵時または高温、たとえば４０℃にてクリーム化または沈降のどちらかによって分離する傾向を有する。しかし高い粘度を有する液体製品の場合、製品が特に粘度が分離を防止できる非常に低いセン断率において高い粘度を有する場合、式から製品粘度と、カプセルと液体製品との間の密度差との関係があることが明らかである。密度差が大きくなるほど、製品は、カプセルを懸濁させるためにより粘性である必要がある。このことは、気泡をかなり長期間懸濁させることができるように十分に粘性である製品によって容易に例証される。温度は、液体製品の粘度に影響を及ぼすことができる。２０℃の周囲温度にて高い粘性を有する製品は、より高い温度で貯蔵したときにはるかに低い粘度を有するかもしれない。
表７は、欧州のヘンケルが製造した液体洗剤パーシル・クラフト・ジェル濃縮物の粘度に対するセン断率および温度の影響を示す。セン断率の上昇時に粘度が降下するだけでなく、３７℃で測定したときに粘度もはるかに低い。３７℃またはそれ以上の温度で所定の期間貯蔵したときに一部の製品の粘度が上昇することも公知である。
【００７３】
表７：パーシル・クラフト・ジェル濃縮液体洗濯用洗剤の粘度
【００７４】
【表９】
2010155992.tif 000015
【００７５】
周囲温度は、地域および季節変化のために変動するので、カプセルが懸濁された状態を維持するためには、密度が十分に適合しない限り、粘度を高く維持する必要がある。それゆえ本発明のフレグランス組成物を含有するマイクロカプセルが導入される液体の家庭用製品、洗濯用製品、パーソナルケアア製品または化粧用製品は、スピンドルＮｏ  ３１を用いて３０ｒｐｍにてＢｒｏｏｋｆｉｅｌｄ  ＬＶＴ粘度計を使用してより低い値を与える２５℃または４０℃のどちらかにおいて測定された、１０〜２，５００ｍＰａｓの、好ましくは２０〜２，０００ｍＰａｓの、さらに好ましくは５０〜１５００ｍＰａｓの粘度を有すれば好ましい。一部の調合物では、製品粘度は高温での長期貯蔵の間に変化することがある。それゆえ上で与えた値は、新たに作製されたサンプルだけでなく、４０℃にて１２週間貯蔵されたサンプルにも適用すべきである。
液体製品のマイクロカプセル芳香剤の用量は、送達される有効成分の総ペイロードによって変化する。各種の点、すなわちマイクロカプセル分散濃度、マイクロカプセル内の芳香剤の割合および所望の効果を生じるのに必要な物質の量が用量に影響を及ぼす。マイクロカプセル調合物からすべての水および溶媒を除去した後にマイクロカプセルの乾燥重量として測定した、液体製品中へのマイクロカプセルの用量は、液体製品組成物の０．０１〜１０重量％の、好ましくは０．０５〜２．５重量％の、さらに好ましくは組成物の０．１〜１．２５重量％の範囲であるべきである。マイクロカプセルはいずれの従来手段によって、通常は工程の適切な段階にて、ただし通常は高セン断混合の後に添加される液体分散物として製品中に包含させることができる。
【実施例】
【００７６】
本発明の組成物およびプロセスをさらに例証するために、以下の実施例を記載する。これらの実施例は、単なる例示であって、決して本発明の範囲を制限しりものではない。
【００７７】
［実施例１］
マイクロカプセルの調製
２ｌの円筒状撹拌溶器に直径５０ｍｍの市販標準分散ディスクを有する調節式分散器を装着した。
容器に：
本発明のフレグランス組成物４００ｇ；
Ｂｒｏｏｋｆｉｅｌｄ粘度２７５ｍＰａｓおよびｐＨ８．５の、メチル化メラミン−ホルムアルデヒド樹脂（モル比、メラミン：ホルムアルデヒド：メタノール  １：３．９：２．４）の７０％強度水溶液８６ｇ；
ポリ−２−アクリルアミド−２−メチルプロパンスルホン酸ナトリウム塩の２０％強度溶液８０ｇ；
水３５０ｇ；
１０重量％強度ギ酸水溶液１５ｇ；
を続けて注入した。
この注入物を、撹拌速度を約２０ｍｓ−１の周囲速度に調整することによって処理してマイクロカプセル分散物とした。温度を約３５℃に維持した。
６０分後、分散物は油を含んでいなかった。約２０〜３０μｍの粒径が確立された。分散ディスクの撹拌速度を次に、容器内容物を均質に循環させるのに十分なレベルまで低下させた。
約８０℃の硬化温度を設定して、高温蒸気の注入によって８０℃に達したら、ギ酸による（ｐＨをｐＨ４．５に調整するため）のメラミン−尿素（比２．５：１、メラミン：尿素）の２７％懸濁物の供給量を、予成形されたマイクロカプセルの分散物に一定の質量流量で添加して、１時間の経過にわたって計量した。メラミン−尿素の懸濁物が合計４６ｇ計量された。
９０℃における硬化期間が１２０分間続く。
分散物を約５５℃まで冷却した後、ジエタノールアミンでｐＨ７．０まで中和して、アンモニアを使用してｐＨ８．５まで調整した。
分散剤を添加して、固体含有率５０％および粘度８３ｍＰａｓの均質なマイクロカプセル分散物を得た
【００７８】
［実施例２］
フレグランス組成物１
下の表８に、すべてが０．９５０ｇ／ｃｍ３を超える密度および１．００〜５．００のＣｌｏｇＰを有する４つの香料成分を含むフレグランス組成物を示す。そのため１．０５５３ｇ／ｃｍ３の密度を有するフレグランス組成物１は、１００％の高密度脂環式アロマケミカル化合物を含有して、実施例１の手順によるカプセル化に適切であるか、またはアコードとして扱われ、カプセル化前に最大８０重量％の低密度香料成分とブレンドすることが可能である。
【００７９】
表８：フレグランス組成物１
【００８０】
【表１０】
2010155992.tif 000016
【００８１】
ａ）２０℃にて測定；
ｂ）Ｓｉｇｍａ  Ａｌｄｒｉｃｈ  Ｃａｔａｌｏｇｕｅ  ２００８−２００９より
【００８２】
［実施例３］
フレグランス組成物２
表９は、実施例１のような縮合反応によるカプセル化に適したフレグランス組成物のさらなる例を示す。フレグランス組成物２は、０．９５０ｇ／ｃｍ３を超える密度および１．００〜５．００のＣｌｏｇＰを有する脂環式アロマケミカル化合物を８１％と、高密度油溶性有機溶媒を１５％含む。このフレグランス組成物の密度は１．１５４９ｇ／ｃｍ３である。
表９と続いての実施例では、発明をより容易に例証するために組成物の成分が成分Ａ、ＢまたはＣに割り当てられている。
【００８３】
表９：フレグランス組成物２
【００８４】
【表１１】
2010155992.tif 000017
【００８５】
［実施例４］
フレグランス組成物３
フレグランス組成物３は下の表１０に、実施例１の手順によってマイクロカプセル内へ封入されるのに適したフレグランス組成物を示す。フレグランス組成物３は０．９３８４ｇ／ｃｍ３の密度を有し、フレグランス組成物の４５．６５重量％を構成する５つの環式高密度フレグランス成分を含有する。
【００８６】
表１０：フレグランス組成物３
【００８７】
【表１２】
2010155992.tif 000018
【００８８】
［実施例５］
フレグランス組成物４〜１０
カプセル化のためのコア組成物は下の表１１にように調合することが可能であり、表１１は、各種の割合の高密度油溶性有機成分をフレグランス組成物３に添加して密度を上昇させて、密度を目標とする液体消費者向け製品の密度により適合させることによって、コア組成物の密度を変更する方法を示している。
【００８９】
表１１：フレグランス組成物
【００９０】
【表１３】
2010155992.tif 000019
【００９１】
［実施例６］
フレグランス組成物１１
マイクロカプセルコア組成物内に封入されるのに適したフレグランス組成物は、下の表１２のように調合される。
【００９２】
表１２：フレグランス組成物１１
【００９３】
【表１４】
2010155992.tif 000020
【００９４】
フレグランス組成物１０は、本発明の組成物を５２．０５％含み、０．９９７３ｇｃｍ−３の密度を有する。このフレグランス組成物は、実施例１の手順によってホルムアルデヒドメラミンコアシェル型マイクロカプセル内にカプセル化された。最終組成物はＴＡＫＡＰＳ４７であった。
【００９５】
［実施例７］
フレグランス組成物１２
エッセンシャルオイルを含む本発明のフレグランス組成物のさらなる例を下の表１３に示す。
【００９６】
表１３：フレグランス組成物１２
【００９７】
【表１５】
2010155992.tif 000021
【００９８】
アミリスオイルの構成要素の７０．３％を占めるアミリスオイルの主な構成要素を下の表１４に示す。使用したオイルは、０．９５９ｇ／ｃｍ３の密度を有し、主な成分はその化学構造内に脂環式環を含有し、１．５を超えるが６．００を下回るＣｌｏｇＰ値を有する。それゆえアミリスオイルは、本発明の高密度成分をフレグランス組成物に与えている。Ｃｌｏｇｐ値が１．５０〜６．００の他の７つの高密度成分と１つの高密度非フレグランス成分（トリエチルシトレート）は、高密度成分の合せた総パーセンテージをフレグランス組成物の９３．０７重量％としている。このフレグランス組成物は０．９５０ｇ／ｃｍ３を超える密度を有し、実施例の方法によるカプセル化に適している。
【００９９】
表１４：アミリスオイルの主成分
【０１００】
【表１６】
2010155992.tif 000022
【０１０１】
＊ジンギベレンおよびセリナ−３，７（１１）ジエンは、本発明で請求された１．００〜６．００の範囲外のＣｌｏｇＰ値を有する。
【０１０２】
［実施例８］
貯蔵安定性
この実施例は、カプセルが液体洗濯用製品中に貯蔵されているときに、本発明のフレグランス組成物を含有するマイクロカプセルの貯蔵安定性を従来の芳香組成物と比較する。フレグランス組成物３、７および１１のサンプルを、本発明以外の従来の芳香剤と共に実施例１の手順によってカプセル化した。得られたカプセル分散物にそれぞれＴａｋａ２１、Ｔａｋａ４６、Ｔａｋａ４７およびＴａｋａ１６０という符号を付けた。各カプセル分散物０．３ｇを１９．７ｇのパーシル・クラフト・ジェル濃縮洗濯液に添加して、混合後に４０℃にて貯蔵した。わずか５時間後に、Ｔａｋａ１６０を含有しているサンプルは分離しているように見えたが、残りのサンプルは分散したままであった。